(57)【要約】【課題】放射線源の曝射実績が増加しても、放射線画像の画質を維持する。【解決手段】制御装置１８は、放射線源２０から放射線１４を曝射させるための曝射条件を記憶する曝射条件記憶部３２と、初期状態の放射線源２０から曝射される放射線１４の曝射線量としての初期線量に係る初期線量情報を記憶する初期線量情報記憶部４２と、放射線源２０から曝射される放射線１４の曝射線量に係る曝射線量情報と、初期線量情報との比較に基づいて、曝射線量が初期線量よりも低下しているか否かを判定する線量比較部４４と、曝射線量が初期線量よりも低下していると線量比較部４４が判定したときに、曝射条件記憶部３２に記憶された曝射条件を曝射線量情報に基づく新たな曝射条件に更新可能な更新処理部５２とを有する。【選択図】図１
2011182974.tif 000002
【特許請求の範囲】
【請求項１】
放射線源から放射線を曝射させるための曝射条件を記憶する曝射条件記憶部と、
初期状態の前記放射線源から曝射される放射線の曝射線量としての初期線量に係る初期線量情報を記憶する初期線量情報記憶部と、
前記放射線源から曝射される放射線の曝射線量に係る曝射線量情報と、前記初期線量情報との比較に基づいて、前記曝射線量が前記初期線量よりも低下しているか否かを判定する線量比較部と、
前記曝射線量が前記初期線量よりも低下していると前記線量比較部が判定したときに、前記曝射条件記憶部に記憶された曝射条件を前記曝射線量情報に基づく新たな曝射条件に更新可能な更新処理部と、
を有することを特徴とする放射線源の制御装置。
【請求項２】
請求項１記載の装置において、
前記線量比較部の判定結果を外部に出力する出力部と、
前記曝射線量が前記初期線量よりも低下しているとの判定結果が前記出力部から外部に出力されたときに、前記曝射条件記憶部に記憶された曝射条件を前記新たな曝射条件に更新すべきか否かを決定する更新決定部と、
をさらに有することを特徴とする放射線源の制御装置。
【請求項３】
請求項２記載の装置において、
前記曝射線量が前記初期線量よりも低下しているとの判定結果に基づいて、前記初期線量に対する前記曝射線量の線量低下率を算出する線量低下率算出部をさらに有し、
前記出力部は、前記判定結果及び前記線量低下率を外部に出力し、
前記更新処理部は、前記更新決定部が前記曝射条件記憶部に記憶された曝射条件の更新を決定したときに、前記線量低下率に基づいて、前記曝射条件記憶部に記憶された曝射条件を前記新たな曝射条件に更新することを特徴とする放射線源の制御装置。
【請求項４】
請求項３記載の装置において、
前記出力部は、前記判定結果及び前記線量低下率を表示する一方で、前記放射線源から被写体に放射線を曝射した際に、前記被写体を透過した前記放射線を放射線画像に変換する放射線検出装置から出力された該放射線画像を表示する表示部であることを特徴とする放射線源の制御装置。
【請求項５】
請求項４記載の装置において、
前記曝射条件記憶部には、前記曝射条件として、前記放射線源から前記被写体の撮影部位に前記初期線量の放射線を曝射する際の該初期線量に応じた前記放射線源の管電流及び曝射時間が記憶され、
前記更新処理部は、前記線量低下率に基づいて、前記曝射条件記憶部に記憶された管電流及び曝射時間のいずれか一方を変更することにより、変更後の前記管電流及び前記曝射時間を前記新たな曝射条件として更新することを特徴とする放射線源の制御装置。
【請求項６】
請求項２〜５のいずれか１項に記載の装置において、
前記曝射条件を入力して前記曝射条件記憶部に記憶させる曝射条件入力部をさらに有し、
前記更新決定部は、前記曝射条件記憶部に記憶された曝射条件を前記新たな曝射条件に更新することを決定した際に、前記更新処理部での更新処理によって前記曝射条件記憶部に前記新たな曝射条件を記憶させるか、あるいは、前記曝射条件入力部で前記新たな曝射条件を入力して前記曝射条件記憶部に記憶させるか、のいずれか一方を選択することを特徴とする放射線源の制御装置。
【請求項７】
請求項１〜６のいずれか１項に記載の装置において、
前記曝射線量情報は、線量計が測定した、前記放射線源から曝射された放射線の線量であることを特徴とする放射線源の制御装置。
【請求項８】
請求項１〜６のいずれか１項に記載の装置において、
前記放射線源から曝射される放射線の曝射実績を記憶する曝射実績記憶部と、
前記曝射実績に基づいて前記放射線の曝射線量を予測する線量予測部とを有し、
前記曝射線量情報は、前記線量予測部が予測した前記曝射線量であることを特徴とする放射線源の制御装置。
【請求項９】
放射線を曝射する放射線源と、前記放射線源を制御する制御装置とを備え、
前記制御装置は、
前記放射線源から前記放射線を曝射させるための曝射条件を記憶する曝射条件記憶部と、
初期状態の前記放射線源から曝射される放射線の曝射線量としての初期線量に係る初期線量情報を記憶する初期線量情報記憶部と、
前記放射線源から曝射される放射線の曝射線量に係る曝射線量情報と、前記初期線量情報との比較に基づいて、前記曝射線量が前記初期線量よりも低下しているか否かを判定する線量比較部と、
前記曝射線量が前記初期線量よりも低下していると前記線量比較部が判定したときに、前記曝射条件記憶部に記憶された曝射条件を前記曝射線量情報に応じた新たな曝射条件に更新可能な更新処理部と、
を有することを特徴とする放射線撮影システム。
【請求項１０】
曝射条件記憶部に記憶された曝射条件に従って、放射線源から放射線を曝射し、
前記放射線源から曝射される放射線の曝射線量に係る曝射線量情報と、初期線量情報記憶部に記憶された、初期状態の前記放射線源から曝射される放射線の曝射線量としての初期線量に係る初期線量情報との比較に基づいて、前記曝射線量が前記初期線量よりも低下しているか否かを線量比較部により判定し、
前記曝射線量が前記初期線量よりも低下していると前記線量比較部が判定したときに、前記曝射条件記憶部に記憶された曝射条件を前記曝射線量情報に応じた新たな曝射条件に更新する
ことを特徴とする曝射条件の更新方法。
【発明の詳細な説明】
【技術分野】
【０００１】
本発明は、放射線を曝射する放射線源の制御装置と、前記放射線源及び前記制御装置を備えた放射線撮影システムと、前記放射線源から放射線を曝射させるための曝射条件を更新するための更新方法とに関する。
【背景技術】
【０００２】
従来より、所定の曝射条件（管電圧、管電流及び曝射時間）に従って放射線を曝射する放射線源では、曝射回数等の曝射実績が増加すると、前記放射線源から曝射される放射線の曝射線量が低下することが知られている（非特許文献１参照）。
【０００３】
例えば、熱電子放出型の放射線源では、陰極のフィラメントを加熱して電子線を発生させ、発生させた電子線をターゲットとしての陽極の焦点面に照射することにより、該焦点面から放射線を外部に出力する。この場合、曝射回数が増加すると、前記電子線の照射に起因した前記焦点面の荒れによって該焦点面が凹凸状となり、前記焦点面で発生した一部の放射線が凸部を介して外部に出力される。その際、前記凸部を通過することにより放射線の線量が減衰するので、結果的に、前記放射線源から曝射される前記放射線の曝射線量が低下することになる。
【０００４】
非特許文献１によれば、前記陽極がタングステン（Ｗ）である場合に、曝射回数が２０００回での放射線の曝射線量は、初期状態（１回目の曝射）の放射線源から曝射される放射線の曝射線量（初期線量）と比較して、３０％程度低下する。このような曝射線量の低下を抑制するために、結晶粒を微細化したレニウム（Ｒｅ）及びＷの合金で陽極を構成した場合には、曝射回数が２０００回でも、曝射線量は、初期線量と比較して１０％程度低下する。
【０００５】
このように、初期線量に応じた曝射条件に従って放射線源から被写体の撮影部位に放射線を曝射することにより、前記撮影部位に対する撮影を行う場合、該曝射条件を維持した状態で曝射回数を増加すると曝射線量が低下する。すなわち、医師又は技師は、同じ曝射条件で撮影が行われていると思っていても、実際に前記撮影部位に曝射される放射線の曝射線量は、前記曝射回数の増加と共に低下する。この結果、前記被写体を透過した前記放射線を放射線検出装置で放射線画像に変換した場合に、曝射回数が増加した状態で撮影された放射線画像は、初期状態で撮影された放射線画像と比較して、画質が低下しているおそれがある。
【０００６】
なお、特許文献１及び２には、曝射実績に基づいて放射線源の寿命を予測することが提案されている。すなわち、特許文献１には、放射線源の曝射実績としてのフィラメントの加熱積算時間から該放射線源の寿命時間を予測し、予測した寿命時間に到達したとき、あるいは、予測した寿命時間を迎える前に、前記放射線源の交換時期を通知することが提案されている。また、特許文献２には、管電流、曝射時の陽極温度、曝射時間及び放射線源を構成する管球の真空度のいずれか１つを測定し、測定結果に基づいて前記放射線源の寿命を予想することが提案されている。
【先行技術文献】
【特許文献】
【０００７】
【特許文献１】特開２００３−５１３９７号公報
【特許文献２】特開２００６−１００１７４号公報
【非特許文献】
【０００８】
【非特許文献１】岡部哲夫、瓜谷富三著「医用放射線科学講座  第１３巻  放射線診断機器工学  第２版」医歯薬出版、２００４年１月２０日、ｐ．３３５
【発明の概要】
【発明が解決しようとする課題】
【０００９】
上述したように、従来は、曝射回数等の曝射実績が増加すると、放射線源内部の劣化（例えば、陽極の焦点面の荒れ）に起因して放射線の曝射線量が低下するので、放射線画像の画質を維持することが困難であるという問題があった。
【００１０】
また、特許文献１及び２の技術は、いずれも、曝射実績から放射線源の寿命を予測するという技術であるため、これらの技術を適用しても、上記の問題を解決することは困難である。
【００１１】
本発明は、前記の問題に鑑みなされたものであり、放射線源の曝射実績が増加しても、放射線画像の画質を維持することが可能となる放射線源の制御装置、放射線撮影システム及び曝射条件の更新方法を提供することを目的とする。
【課題を解決するための手段】
【００１２】
本発明に係る放射線源の制御装置は、
放射線源から放射線を曝射させるための曝射条件を記憶する曝射条件記憶部と、
初期状態の前記放射線源から曝射される放射線の曝射線量としての初期線量に係る初期線量情報を記憶する初期線量情報記憶部と、
前記放射線源から曝射される放射線の曝射線量に係る曝射線量情報と、前記初期線量情報との比較に基づいて、前記曝射線量が前記初期線量よりも低下しているか否かを判定する線量比較部と、
前記曝射線量が前記初期線量よりも低下していると前記線量比較部が判定したときに、前記曝射条件記憶部に記憶された曝射条件を前記曝射線量情報に基づく新たな曝射条件に更新可能な更新処理部と、
を有することを特徴としている。
【００１３】
また、本発明に係る放射線撮影システムは、放射線を曝射する放射線源と、前記放射線源を制御する制御装置とを備え、
前記制御装置は、
前記放射線源から前記放射線を曝射させるための曝射条件を記憶する曝射条件記憶部と、
初期状態の前記放射線源から曝射される放射線の曝射線量としての初期線量に係る初期線量情報を記憶する初期線量情報記憶部と、
前記放射線源から曝射される放射線の曝射線量に係る曝射線量情報と、前記初期線量情報との比較に基づいて、前記曝射線量が前記初期線量よりも低下しているか否かを判定する線量比較部と、
前記曝射線量が前記初期線量よりも低下していると前記線量比較部が判定したときに、前記曝射条件記憶部に記憶された曝射条件を前記曝射線量情報に応じた新たな曝射条件に更新可能な更新処理部と、
を有することを特徴としている。
【００１４】
さらに、本発明に係る曝射条件の更新方法は、
曝射条件記憶部に記憶された曝射条件に従って、放射線源から放射線を曝射し、
前記放射線源から曝射される放射線の曝射線量に係る曝射線量情報と、初期線量情報記憶部に記憶された、初期状態の前記放射線源から曝射される放射線の曝射線量としての初期線量に係る初期線量情報との比較に基づいて、前記曝射線量が前記初期線量よりも低下しているか否かを線量比較部により判定し、
前記曝射線量が前記初期線量よりも低下していると前記線量比較部が判定したときに、前記曝射条件記憶部に記憶された曝射条件を前記曝射線量情報に応じた新たな曝射条件に更新することを特徴としている。
【００１５】
これらの発明によれば、線量比較部において曝射線量が初期線量よりも低下しているか否かを判定し、前記曝射線量が前記初期線量よりも低下していると判定されると、曝射条件記憶部に記憶された曝射条件が曝射線量情報に応じた新たな曝射条件に更新されることが可能となる。すなわち、これらの発明では、曝射実績の増加に起因した放射線源の劣化状態（を示す前記曝射線量情報）を前記曝射条件にフィードバックすることが可能となる。
【００１６】
これにより、前記放射線源が更新後の新たな曝射条件に従って放射線を被写体に曝射すれば、前記被写体を透過した前記放射線を放射線検出装置で放射線画像に変換した際に、当該放射線画像の画質を、前記初期線量の放射線を曝射した際に得られる放射線画像の画質と同等程度に維持することが可能となる。
【００１７】
従って、本発明によれば、前記曝射線量が前記初期線量よりも低下したときに前記曝射条件を更新するので、前記放射線源の曝射実績が増加しても、前記放射線画像の画質を維持することが可能となる。
【００１８】
ここで、前記制御装置は、前記線量比較部の判定結果を外部に出力する出力部と、前記曝射線量が前記初期線量よりも低下しているとの判定結果が前記出力部から外部に出力されたときに、前記曝射条件記憶部に記憶された曝射条件を前記新たな曝射条件に更新すべきか否かを決定する更新決定部とをさらに有する。
【００１９】
これにより、医師又は技師は、前記曝射線量が前記初期線量よりも低下したことを容易に把握できると共に、前記更新決定部を用いて前記曝射条件の更新の要否を決定することが可能となる。従って、例えば、病院毎に推奨される曝射条件が予め定められている場合や、前記医師又は前記技師が曝射条件を予め決めている場合に、前記推奨される曝射条件又は前記予め決めている曝射条件と、前記新たな曝射条件とが異なるときに、前記医師又は前記技師は、前記更新決定部を用いて前記曝射条件の更新を不要と決定することも可能となる。
【００２０】
また、前記制御装置は、前記曝射線量が前記初期線量よりも低下しているとの判定結果に基づいて、前記初期線量に対する前記曝射線量の線量低下率を算出する線量低下率算出部をさらに有し、前記出力部は、前記判定結果及び前記線量低下率を外部に出力し、前記更新処理部は、前記更新決定部が前記曝射条件記憶部に記憶された曝射条件の更新を決定したときに、前記線量低下率に基づいて、前記曝射条件記憶部に記憶された曝射条件を前記新たな曝射条件に更新する。
【００２１】
前記線量低下率も外部に通知されるので、前記医師又は前記技師は、前記曝射条件の更新の決定の要否をより正確に判断することが可能となる。また、前記線量低下率は、前記更新処理部にも出力されるので、前記更新処理部では、前記線量低下率に基づいて、前記新たな曝射条件への更新処理をより正確に行うことが可能となる。
【００２２】
この場合、前記出力部は、前記判定結果及び前記線量低下率を表示する一方で、前記放射線源から被写体に放射線を曝射した際に、前記被写体を透過した前記放射線を放射線画像に変換する放射線検出装置から出力された該放射線画像を表示する表示部であればよい。
【００２３】
これにより、前記医師又は前記技師は、前記表示部の表示内容を見ながら前記曝射条件の更新の要否を容易に決定することが可能となる。
【００２４】
さらに、前記曝射条件記憶部には、前記曝射条件として、前記放射線源から前記被写体の撮影部位に前記初期線量の放射線を曝射する際の該初期線量に応じた前記放射線源の管電流及び曝射時間が記憶され、前記更新処理部は、前記線量低下率に基づいて、前記曝射条件記憶部に記憶された管電流及び曝射時間のいずれか一方を変更することにより、変更後の前記管電流及び前記曝射時間を前記新たな曝射条件として更新することが望ましい。
【００２５】
これにより、前記撮影部位に応じた最適な曝射条件を前記新たな曝射条件として更新することが可能となる。例えば、前記撮影部位が心臓等のように撮影中に動く可能性のある撮影部位であれば、前記曝射時間を固定して前記管電流のみ変更すればよい。また、前記撮影部位が手等のように撮影中は動く可能性の少ない撮影部位であれば、前記管電流を固定して前記曝射時間のみ変更すればよい。
【００２６】
また、前記制御装置は、前記曝射条件を入力して前記曝射条件記憶部に記憶させる曝射条件入力部をさらに有し、前記更新決定部は、前記曝射条件記憶部に記憶された曝射条件を前記新たな曝射条件に更新することを決定した際に、前記更新処理部での更新処理によって前記曝射条件記憶部に前記新たな曝射条件を記憶させるか、あるいは、前記曝射条件入力部で前記新たな曝射条件を入力して前記曝射条件記憶部に記憶させるか、のいずれか一方を選択してもよい。
【００２７】
これにより、前記医師又は前記技師は、前記更新処理部による自動更新処理により前記曝射条件を更新するか、あるいは、前記曝射条件入力部によるマニュアル操作により前記曝射条件を更新するかを選択することが可能となる。
【００２８】
なお、前記曝射線量情報は、線量計が測定した、前記放射線源から曝射された放射線の線量であってもよい。また、前記制御装置は、前記放射線源から曝射される放射線の曝射実績を記憶する曝射実績記憶部と、前記曝射実績に基づいて前記放射線の曝射線量を予測する線量予測部とを有し、前記曝射線量情報は、前記線量予測部が予測した前記曝射線量であってもよい。
【００２９】
このように、本発明では、前記線量計で測定した前記線量を用いても、あるいは、前記線量予測部が予測した前記曝射線量を用いても、前記線量比較部において、前記曝射線量が前記初期線量よりも低下しているか否かを判定することが可能である。また、動画撮影等のように、撮影枚数が多くなるか、あるいは、撮影時間が長くなる場合に、前記線量計を用いて前記曝射線量を測定することで、前記放射線の線量管理を適切に行うことが可能となる。
【発明の効果】
【００３０】
本発明によれば、曝射線量が初期線量よりも低下したときに曝射条件を更新するので、放射線源の曝射実績が増加しても、放射線画像の画質を維持することが可能となる。
【図面の簡単な説明】
【００３１】
【図１】本実施形態に係る放射線撮影システムのブロック図である。
【図２】図１の放射線撮影システムの動作を説明するフローチャートである。
【発明を実施するための形態】
【００３２】
本発明に係る放射線源の制御装置及び放射線撮影システムについて、曝射条件の更新方法との関連で、好適な実施形態を、図１及び図２を参照しながら説明する。
【００３３】
本実施形態に係る放射線撮影システム１０は、被写体１２に放射線１４を曝射して該被写体１２に対する撮影を行う撮影装置１６と、撮影装置１６での撮影を制御するコンソール（制御装置）１８とを有する。
【００３４】
撮影装置１６は、図示しない病院の撮影室等に配置され、所定の撮影条件（曝射条件）に従って放射線１４を出力する放射線源２０と、放射線源２０から出力された放射線１４の照射野を制御するコリメータ２２と、コリメータ２２により照射野が絞られた放射線１４の面積線量（Ｄｏｓｅ  Ａｒｅａ  Ｐｒｏｄｕｃｔ、ＤＡＰ）を測定する面積線量計２４と、被写体１２を透過した放射線１４を放射線画像に変換する放射線検出器２６を収容する放射線検出装置２８とを有する。
【００３５】
一方、コンソール１８は、前記撮影室外に配置され、医師又は技師が操作するキーボードやマウス等の操作部（更新決定部、曝射条件入力部）３０と、医師又は技師による操作部３０の操作によって入力された撮影条件を記憶する撮影条件記憶部（曝射条件記憶部）３２と、撮影装置１６を制御する制御部３４と、放射線検出装置２８から放射線画像を読み取り、読み取った放射線画像に対して所定の画像処理を行う画像処理部３６と、画像処理後の放射線画像を記憶する画像記憶部３８と、画像処理後の放射線画像を表示する表示部（出力部）４０とを有する。
【００３６】
また、コンソール１８は、放射線源２０の曝射実績を記憶する曝射実績記憶部４８と、前記曝射実績から放射線１４の曝射線量を予測する線量予測部５０と、初期状態（１回目の曝射）の放射線源２０から曝射される放射線１４の曝射線量（初期線量、初期線量情報）を記憶する線量記憶部４２と、線量記憶部４２に記憶された初期線量、及び、面積線量計２４が測定した面積線量（曝射線量情報）に基づく放射線１４の実際の曝射線量、又は、線量予測部５０が予測した放射線１４の曝射線量（曝射線量情報）を比較して、前記曝射線量が前記初期線量よりも低下しているか否かを判定する線量比較部４４を有する。
【００３７】
さらに、コンソール１８は、前記曝射線量が前記初期線量よりも低下していると線量比較部４４が判定したときに、前記初期線量に対する前記曝射線量の線量低下率を算出する線量低下率算出部４６と、前記線量低下率に基づいて撮影条件記憶部３２に記憶されている撮影条件を該線量低下率に応じた新たな撮影条件に更新可能な更新処理部５２を有する。
【００３８】
放射線撮影システム１０の構成は、概ね上述した通りであり、次に、一部の構成要素について、より詳しく説明する。
【００３９】
撮影装置１６において、放射線源２０は、公知の熱電子放出型又は電界放出型の放射線源である。また、面積線量計２４は、コリメータ２２近傍に配置され、該面積線量計２４の検出面積と曝射線量との積を面積線量として検出し、検出した前記面積線量を曝射線量情報として線量比較部４４に出力する。さらに、放射線検出器２６は、被写体１２を透過した放射線１４を電気信号に直接変換する直接変換型の放射線検出器、あるいは、被写体１２を透過した放射線１４を可視光に一旦変換し、変換後の可視光を電気信号に変換する間接変換型の放射線検出器である。従って、画像処理部３６は、放射線検出器２６から前記電気信号を放射線画像として読み出すことができる。
【００４０】
一方、コンソール１８において、撮影条件記憶部３２には、被写体１２の撮影部位に応じた放射線源２０の管電流、管電圧及び照射時間等の撮影条件が記憶される。この場合、撮影条件記憶部３２には、１回目の曝射である初期状態の放射線源２０に係る撮影条件が当初設定されており、更新処理部５２による自動更新処理、あるいは、医師又は技師による操作部３０の操作に起因したマニュアル更新処理によって、撮影条件記憶部３２に記憶された初期状態の撮影条件が新たな撮影条件に更新される。
【００４１】
曝射実績記憶部４８は、制御部３４が撮影装置１６を制御して被写体１２に対する撮影（放射線１４の曝射）を行う毎に、曝射時間を積算するか又は曝射回数をカウントし、曝射時間の積算値又は曝射回数の累積値を曝射実績として記憶する。線量予測部５０は、放射線源２０の陽極の材質と、前記曝射実績と、撮影条件記憶部３２に設定された初期状態の撮影条件と、線量記憶部４２に記憶された初期線量とに基づいて、該曝射実績に応じた曝射線量を予測し、予測した曝射線量を曝射線量情報として線量比較部４４に出力する。
【００４２】
線量比較部４４は、面積線量計２４からの曝射線量情報と、線量予測部５０からの曝射線量情報とのうち、いずれか一方の曝射線量情報を選択し、選択した曝射線量情報に係る曝射線量と、線量記憶部４２から読み出した初期線量とを比較して、曝射線量が初期線量よりも低下しているか否かの判定結果を線量低下率算出部４６及び更新処理部５２に出力する。線量低下率算出部４６は、曝射線量が初期線量よりも低下しているとの判定結果を受けて、初期線量に対する曝射線量の低下率を算出し、算出した線量低下率及び判定結果を表示部４０及び更新処理部５２に出力する。なお、線量低下率算出部４６は、曝射線量が初期線量から低下していないとの判定結果を受けた場合には、この判定結果のみを表示部４０に出力する。
【００４３】
医師又は技師は、表示部４０の表示画面に表示された判定結果（及び線量低下率）を視認して、撮影条件の更新処理を行うか否かを選択し、更新処理の実行を選択した場合には、次に、更新処理部５２による自動更新処理を実行するか、あるいは、医師又は技師の操作部３０に起因したマニュアル更新処理を行うか、いずれか一方の選択も行う。
【００４４】
具体的に、更新処理部５２に自動更新処理を実行させる場合に、医師又は技師は、操作部３０を操作して更新処理部５２に対し自動更新処理の実行を指示する。更新処理部５２は、操作部３０からの指示があり、且つ、線量低下率算出部４６からの判定結果及び線量低下率の入力と、線量比較部４４からの判定結果の入力とがそれぞれあった場合に、線量低下率に基づいて、現在の曝射回数において、前記初期線量の放射線１４を放射線源２０から曝射させるために必要な管電流、管電圧及び曝射時間の値を算出し、算出した管電流、管電圧及び曝射時間の値を新たな撮影条件として撮影条件記憶部３２に記憶（更新）させる。
【００４５】
すなわち、非特許文献１にも開示されているように、初期状態の撮影条件を維持した状態で曝射実績を増加すると、曝射線量が低下するので、更新処理部５２は、曝射実績の増加に伴う曝射線量の低下を補償して、該曝射線量が初期線量となるように、撮影条件記憶部３２に設定された管電流、管電圧及び曝射時間の値を変更する。
【００４６】
なお、放射線１４の曝射線量は、主として、管電流及び曝射時間の積（ｍＡ・ｓ値）によって決まるので、更新処理部５２は、管電流及び曝射時間のいずれか一方を変更することにより、撮影条件記憶部３２の撮影条件を更新する。具体的に、撮影部位が心臓等のように撮影中に動く可能性のある撮影部位であれば、曝射時間を固定して管電流のみ増加させる。また、撮影部位が手等のように撮影中は動く可能性の少ない撮影部位であれば、管電流を固定して曝射時間のみ長くする。
【００４７】
一方、マニュアル更新処理を行う場合に、医師又は技師は、表示部４０に表示された線量低下率に基づいて、現在の曝射回数においても、初期線量の放射線１４を放射線源２０から曝射させるために必要な管電流、管電圧及び曝射時間の値を操作部３０を操作して入力することにより、撮影条件記憶部３２に記憶された撮影条件を更新させる。
【００４８】
なお、本実施形態において、更新後の撮影条件は、表示部４０に表示させてもよい。また、上述した更新処理が不要と判断したときに、医師又は技師は、操作部３０を操作しないか、あるいは、操作部３０を操作して更新処理部５２に更新不要との指示を与える。さらに、曝射線量が初期線量から低下していないとの判定結果が表示部４０に表示された場合でも、医師又は技師は、更新処理が行われないものと判断し、操作部３０の操作を行わない。
【００４９】
本実施形態に係る放射線撮影システム１０の構成は、上述した通りであり、次に、該放射線撮影システム１０の動作（曝射条件の更新方法）について、図２のフローチャートを参照しながら説明する。
【００５０】
ここでは、先ず、線量比較部４４が、面積線量計２４の測定した面積線量（曝射線量情報）に係る曝射線量と、初期線量とを比較する場合について説明し、次に、線量予測部５０が予測した曝射線量と、初期線量とを比較する場合について説明する。
【００５１】
ステップＳ１において、医師又は技師は、操作部３０を操作して、被写体１２の撮影部位に応じた管電流、管電圧及び曝射時間等の撮影条件を入力する。入力された撮影条件は、撮影条件記憶部３２に記憶される。なお、撮影条件記憶部３２に記憶される撮影条件は、初期状態の放射線源２０から曝射される放射線１４に係る撮影条件、すなわち、初期線量に応じた撮影条件である。また、医師又は技師は、操作部３０を操作して初期線量を線量記憶部４２に記憶させてもよい。
【００５２】
次のステップＳ２において、医師又は技師は、放射線検出装置２８の放射線源２０側に被写体１２の撮影部位をポジショニングすると共に、該放射線源２０を前記撮影部位及び放射線検出装置２８に向けることにより、撮影準備を行う。
【００５３】
このようにして、被写体１２に対する撮影準備が完了した後に、医師又は技師が操作部３０を操作すると、該操作部３０は、曝射スイッチとして機能し、被写体１２の撮影を制御部３４に指示する。
【００５４】
ステップＳ３において、制御部３４は、撮影条件記憶部３２から撮影条件を読み出し、読み出した撮影条件に従って撮影装置１６を制御する。すなわち、制御部３４は、コリメータ２２を制御して放射線１４の照射野を設定し、面積線量計２４を制御して放射線１４の面積線量を測定可能な状態とし、放射線検出装置２８を制御して放射線検出器２６による放射線１４の検出が可能な状態とする。その後、制御部３４は、放射線源２０を制御して放射線１４を曝射させる。
【００５５】
放射線源２０から曝射された放射線１４は、コリメータ２２により照射野が絞られた状態で面積線量計２４を介して被写体１２に曝射される。その際、面積線量計２４は、通過する放射線１４の面積線量を測定し、測定した面積線量を曝射線量情報として線量比較部４４に出力する（ステップＳ４）。
【００５６】
被写体１２を透過した放射線１４は、放射線検出器２６に導かれ、放射線検出器２６は、該放射線１４を電気信号に変換し、変換後の電気信号を放射線画像として画像処理部３６に出力する。画像処理部３６は、入力された放射線画像に対して所定の画像処理を施し、画像処理後の放射線画像を画像記憶部３８に記憶し、あるいは、表示部４０に表示させる。
【００５７】
一方、線量比較部４４は、面積線量計２４から曝射線量情報が入力されたときに、線量記憶部４２に記憶された初期線量情報としての初期線量を読み出し、該初期線量と、前記曝射線量情報に係る曝射線量とを比較して、曝射線量が初期線量から低下しているか否かを判定する（ステップＳ５）。
【００５８】
曝射線量が初期線量よりも低下していると判定した場合（ステップＳ５：ＹＥＳ）、線量比較部４４は、この判定結果を線量低下率算出部４６及び更新処理部５２に出力する。ステップＳ６において、線量低下率算出部４６は、前記判定結果が入力されると、前記初期線量に対する前記曝射線量の線量低下率を算出し、算出した線量低下率と前記判定結果とを表示部４０及び更新処理部５２に出力する（ステップＳ７）。
【００５９】
医師又は技師は、表示部４０に表示された、曝射線量が初期線量よりも低下しているとの判定結果と、線量低下率とを視認した後に、曝射線量が低下しているので、撮影条件の更新が必要と判断する（ステップＳ８：ＹＥＳ）。次に、医師又は技師は、更新処理部５２による自動更新処理により撮影条件を更新すべきことを決定し（ステップＳ９：ＹＥＳ）、操作部３０を操作して更新処理部５２に対し自動更新処理を指示する。
【００６０】
ステップＳ１０において、更新処理部５２は、操作部３０からの指示と、線量比較部４４からの判定結果の入力と、線量低下率算出部４６からの判定結果及び線量低下率の入力とがあった場合に、前記線量低下率に基づいて、現在の曝射実績において、放射線１４の曝射線量を初期線量とするために必要な管電流、管電圧及び曝射時間を算出し、算出した管電流、管電圧及び曝射時間を撮影条件記憶部３２に出力する。これにより、撮影条件記憶部３２に記憶された管電流、管電圧及び曝射時間は、初期状態に応じた管電流、管電圧及び曝射時間から、現在の曝射実績（曝射線量）を反映した管電流、管電圧及び曝射時間に更新される（ステップＳ１１）。更新後の撮影条件は、表示部４０に表示される。
【００６１】
この結果、次回の撮影において、制御部３４は、更新後の管電流、管電圧及び曝射時間に基づいて被写体１２に対する撮影を撮影装置１６に行わせるので、放射線源２０から曝射される放射線１４の曝射線量は、初期線量に補正され、従って、放射線検出器２６にて得られる放射線画像の画質は、初期線量の放射線画像の画質と同等程度となり、曝射実績が増加しても、放射線画像の画質を維持することが可能となる。
【００６２】
ところで、ステップＳ９において、医師又は技師が、更新処理部５２による自動更新処理ではなく、マニュアル更新処理による撮影条件の更新を決定した場合（ステップＳ９：ＮＯ）、医師又は技師は、表示部４０に表示された線量低下率を視認しながら、操作部３０を操作して、現在の曝射実績において、放射線１４の曝射線量を初期線量とするために必要な管電流、管電圧及び曝射時間の値を入力する（ステップＳ１２）。これにより、撮影条件記憶部３２に記憶された撮影条件は、初期状態に応じた管電流、管電圧及び曝射時間から、現在の曝射実績（曝射線量）を反映した管電流、管電圧及び曝射時間に更新される（ステップＳ１１）。
【００６３】
また、ステップＳ５において、初期線量に対して曝射線量が低下していないと線量比較部４４が判定した場合（ステップＳ５：ＮＯ）、コンソール１８は、ステップＳ６以降の処理を実行しない。この場合、線量比較部４４は、この判定結果を線量低下率算出部４６を介して表示部４０に表示させる。従って、医師又は技師は、曝射線量が低下していないことを容易に把握することができる。
【００６４】
さらに、ステップＳ８において、撮影条件の更新は不要と医師又は技師が判断した場合（ステップＳ８：ＮＯ）、コンソール１８は、ステップＳ９以降の処理を実行しない。
【００６５】
さらにまた、コンソール１８では、図２の二点鎖線に示すように、ステップＳ６又はＳ８後に更新処理部５２による自動更新処理を行わせてもよい。これにより、医師又は技師の判断を仰ぐことなく、あるいは、少ない判断回数で、更新処理部５２が自動更新処理を行うので、医師又は技師の作業負担が軽減される。
【００６６】
なお、上記の説明では、線量比較部４４が、面積線量計２４の測定した面積線量に係る曝射線量と、初期線量とを比較する場合であったが、線量予測部５０が予測した曝射線量と、初期線量とを比較する場合には、ステップＳ４に代えて、ステップＳ１３及びＳ１４の処理を行えばよい。
【００６７】
すなわち、ステップＳ１３において、曝射実績記憶部４８は、曝射時間を積算して、曝射時間の積算値を曝射実績として記憶するか、あるいは、曝射回数をカウントして、曝射回数の累積値を曝射実績として記憶する。ステップＳ１４において、線量予測部５０は、前記曝射実績に応じた曝射線量を予測し、予測した曝射線量を曝射線量情報として線量比較部４４に出力する。これにより、線量比較部４４では、線量予測部５０が予測した曝射線量と、線量記憶部４２に記憶された初期線量とを比較することが可能となる。
【００６８】
以上説明したように、本実施形態に係る放射線撮影システム１０、コンソール１８及び撮影条件の更新方法によれば、線量比較部４４において曝射線量が初期線量よりも低下しているか否かを判定し、曝射線量が初期線量よりも低下していると判定されると、撮影条件記憶部３２に記憶された撮影条件が曝射線量情報に応じた新たな撮影条件に更新されることが可能となる。すなわち、曝射実績の増加に起因した放射線源２０の劣化状態（を示す曝射線量情報）を撮影条件にフィードバックすることが可能となる。
【００６９】
これにより、放射線源２０が更新後の新たな撮影条件に従って放射線１４を被写体１２に曝射すれば、被写体１２を透過した放射線１４を放射線検出装置２８で放射線画像に変換した際に、当該放射線画像の画質を、初期線量の放射線１４を曝射した際に得られる放射線画像の画質と同等程度に維持することが可能となる。
【００７０】
従って、本実施形態によれば、曝射線量が初期線量よりも低下したときに撮影条件を更新するので、放射線源２０の曝射実績が増加しても、放射線画像の画質を維持することが可能となる。
【００７１】
また、曝射線量が初期線量よりも低下しているとの判定結果を表示部４０に表示させることにより、医師又は技師は、表示部４０の表示内容を視認することで、曝射線量が初期線量よりも低下したことを容易に把握することができる。さらに、医師又は技師は、表示部４０の表示内容を視認しながら、操作部３０を用いて撮影条件の更新の要否を容易に決定することも可能となる。従って、例えば、病院毎に推奨される撮影条件が予め定められている場合や、医師又は技師が撮影条件を予め決めている場合に、推奨される撮影条件又は予め決めている撮影条件と、新たな撮影条件とが異なるときに、医師又は技師は、操作部３０を用いて撮影条件の更新を不要と決定（指示）することも可能となる。
【００７２】
また、表示部４０に線量低下率も表示させることにより、医師又は技師は、撮影条件の更新の決定の要否をより正確に判断することが可能となる。また、線量低下率は、更新処理部５２にも出力されるので、更新処理部５２では、線量低下率に基づいて、新たな撮影条件への更新処理をより正確に行うことが可能となる。
【００７３】
さらに、更新処理の際には、撮影条件記憶部３２に記憶された管電流及び曝射時間のうち、いずれか一方を変更することで新たな撮影条件に更新されるので、被写体１２の撮影部位に応じた最適な撮影条件を新たな撮影条件として更新することが可能となる。例えば、撮影部位が心臓等のように撮影中に動く可能性のある撮影部位であれば、曝射時間を固定して管電流のみ増加させることが可能となり、一方で、撮影部位が手等のように撮影中は動く可能性の少ない撮影部位であれば、管電流を固定して曝射時間のみ長くすることも可能となる。
【００７４】
また、本実施形態では、医師又は技師は、更新処理部５２による自動更新処理により撮影条件を更新するか、あるいは、操作部３０によるマニュアル操作により撮影条件を更新するかを選択することも可能である。
【００７５】
さらに、本実施形態では、面積線量計２４で測定した面積線量を用いても、あるいは、線量予測部５０が予測した曝射線量を用いても、線量比較部４４において、曝射線量が初期線量よりも低下しているか否かを判定することが可能である。また、動画撮影等のように、撮影枚数が多くなるか、あるいは、撮影時間が長くなる場合に、面積線量計２４を用いて曝射線量を測定することで、放射線１４の線量管理を適切に行うことが可能となる。
【００７６】
ところで、本実施形態では、面積線量計２４が放射線１４の面積線量を測定して線量比較部４４に出力する場合について説明した。本実施形態は、上記の説明に限定されることはなく、一般的な放射線量測定器（線量計）を用いて放射線１４の線量を測定し、測定した線量を線量比較部４４に出力することも可能である。
【００７７】
なお、本発明は、上述の実施の形態に限らず、本発明の要旨を逸脱することなく、種々の構成を採り得ることは勿論である。
【符号の説明】
【００７８】
１０…放射線撮影システム
１２…被写体
１４…放射線
１６…撮影装置
１８…コンソール
２０…放射線源
２４…面積線量計
２６…放射線検出器
２８…放射線検出装置
３０…操作部
３２…撮影条件記憶部
３４…制御部
３６…画像処理部
４０…表示部
４２…線量記憶部
４４…線量比較部
４６…線量低下率算出部
４８…曝射実績記憶部
５０…線量予測部
５２…更新処理部
【図１】
2011182974.tif 000003
【図２】
2011182974.tif 000004